【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
揮発性の化学物質を含み、且つ水の比重よりも大きい比重を有する液体が存在し得る領域において、前記液体のうち噴霧対象となる液体の液面の位置よりも高い位置から、水を噴霧するための噴霧機構を備え、
前記噴霧機構は、第１噴霧部を有し、
前記第１噴霧部は、前記液面上に水の膜を形成するように前記水を噴霧可能であることを特徴とする、化学物質飛散抑制装置。
【請求項２】
請求項１に記載の化学物質飛散抑制装置であって、
前記領域には、貯留部が配置されており、
前記貯留部は、
閉じられた空間を形成し当該空間に前記液体を貯留可能な第１貯留部と、
上部が開放された空間を形成し、前記第１貯留部から流出した前記液体を貯留可能な第２貯留部と、を含み、
前記噴霧機構は、前記第２貯留部に向けて前記水を噴霧可能であることを特徴とする、化学物質飛散抑制装置。
【請求項３】
請求項１又は請求項２に記載の化学物質飛散抑制装置であって、
前記噴霧機構は、第２噴霧部を有し、
前記第２噴霧部は、前記液面から揮発した前記化学物質を捕集するために当該揮発した化学物質へ向けて水を噴霧可能であることを特徴とする、化学物質飛散抑制装置。
【請求項４】
請求項３に記載の化学物質飛散抑制装置であって、
前記第１噴霧部及び第２噴霧部の少なくとも一方は、前記液面に向けて前記水を噴霧することを特徴とする、化学物質飛散抑制装置。
【請求項５】
請求項３又は請求項４に記載の化学物質飛散抑制装置であって、
前記第１噴霧部及び前記第２噴霧部の少なくとも一方は、前記液面の全域を上方から覆うように前記水を噴霧可能であることを特徴とする、化学物質飛散抑制装置。
【請求項６】
請求項３乃至請求項５の何れか１項に記載の化学物質飛散抑制装置であって、
前記第１噴霧部及び前記第２噴霧部の少なくとも一方は、前記水を鉛直方向の下側に向けて円錐状に噴霧することを特徴とする、化学物質飛散抑制装置。
【請求項７】
請求項３至請求項６何れか１項に記載の化学物質飛散抑制装置であって、
前記第２噴霧部が噴霧する前記水の粒子径は、前記第１噴霧部が噴霧する前記水の粒子径よりも小さいことを特徴とする、化学物質飛散抑制装置。
【請求項８】
請求項３乃至請求項７の何れか１項に記載の化学物質飛散抑制装置であって、
前記第２噴霧部の位置は、前記第１噴霧部の位置よりも高いことを特徴とする、化学物質飛散抑制装置。
【請求項９】
請求項２に記載の化学物質飛散抑制装置であって、
前記第２貯留部に隣接して配置され、前記化学物質を検出するためのセンサと、
前記センサが前記化学物質を検出した場合に前記噴霧機構を駆動させる制御部と、を更に備えることを特徴とする、化学物質飛散抑制装置。
【請求項１０】
揮発性の化学物質を含み、且つ水の比重よりも大きい比重を有する液体を貯留可能な貯留部と、
前記貯留部に貯留された前記液体のうち噴霧対象となる液体の液面の位置よりも高い位置から、水を噴霧するための噴霧機構と、
を備え、
前記噴霧機構は、第１噴霧部を有し、
前記第１噴霧部は、前記液面上に水の膜を形成するように前記水を噴霧可能であることを特徴とする、化学物質貯留装置。
【請求項１１】
揮発性の化学物質を含み、且つ水の比重よりも大きい比重を有する液体が存在する領域において、前記液体のうち噴霧対象となる液体の液面の位置よりも高い位置から、水を噴霧し、前記液面上に水の膜を形成することを特徴とする、化学物質飛散抑制方法。
【手続補正２】
【補正対象書類名】明細書
【補正対象項目名】０００６
【補正方法】変更
【補正の内容】
【０００６】
上記目的を達成するための本発明における化学物質飛散抑制装置は、揮発性の化学物質を含み、且つ水の比重よりも大きい比重を有する液体が存在し得る領域において、前記液体のうち噴霧対象となる液体の液面の位置よりも高い位置から、水を噴霧するための噴霧機構を備え、前記噴霧機構は、第１噴霧部を有し、前記第１噴霧部は、前記液面上に水の膜を形成するように前記水を噴霧可能であることを特徴とする。
【手続補正３】
【補正対象書類名】明細書
【補正対象項目名】０００７
【補正方法】変更
【補正の内容】
【０００７】
この構成によると、噴霧された水が化学物質に接触することによって、化学物質の揮発による飛散を抑制することができる。しかも、霧状の水であれば、少量で、広い範囲に水を行き渡らせることができるので、水の使用量が少なくて済む。水の使用量が少ないので、噴霧した水と混合する化学物質の量が少なくて済み、大部分の化学物質をそのまま利用することができる。したがって、廃液として処理しなければならない液体の量が少なくて済み、廃液の処理費用、及び環境に与える負荷の双方を少なくできる。しかも、化学物質の揮発による飛散を抑制する媒体として水を用いるので、廃液の処理が容易であり、廃液の処理費用、及び環境に与える負荷の双方をより一層少なくできる。また、第１噴霧部から噴射された霧状の水は、水の比重より高い比重の液体の液面上に水の膜を形成する。これにより、水の膜が、化学物質の揮発を抑制するシールとして機能する。したがって、液体からの化学物質の揮発量を確実に少なくすることができる。しかも、水は、実質的に、液体のうちの液面にのみ触れることとなる。したがって、液体のうち液面よりも下方にある部分は、水と混合することが抑制されており、水が噴霧される前の性質を維持することができる。したがって、廃液として処理する必要のある液体は、水の膜と接している部分周辺の僅かな箇所で済み、廃液の処理量をより少なくできる。
【手続補正４】
【補正対象書類名】明細書
【補正対象項目名】００１１
【補正方法】変更
【補正の内容】
【００１１】
また、本発明における化学物質飛散抑制装置は、前記噴霧機構は、第２噴霧部を有し、前記第２噴霧部は、前記液面から揮発した前記化学物質を捕集するために当該揮発した化学物質へ向けて水を噴霧可能であることが好ましい。
【手続補正５】
【補正対象書類名】明細書
【補正対象項目名】００１２
【補正方法】変更
【補正の内容】
【００１２】
この構成によると、第２噴霧部から噴霧された水は、液体から揮発した化学物質を捕集する霧として機能する。これにより、例えば、第１噴霧部によって水の膜が形成される前の時点で液体から化学物質が揮発した場合でも、当該揮発した化学物質を、第２噴霧部から噴射された霧によって捕集することができる。これにより、化学物質の飛散をより確実に抑制することができる。
【手続補正６】
【補正対象書類名】明細書
【補正対象項目名】００２９
【補正方法】変更
【補正の内容】
【００２９】
また、本発明における化学物質貯留装置は、揮発性の化学物質を含み、且つ水の比重よりも大きい比重を有する液体を貯留可能な貯留部と、前記貯留部に貯留された前記液体のうち噴霧対象となる液体の液面の位置よりも高い位置から、水を噴霧するための噴霧機構と、を備え、前記噴霧機構は、第１噴霧部を有し、前記第１噴霧部は、前記液面上に水の膜を形成するように前記水を噴霧可能であることを特徴とする。
【手続補正７】
【補正対象書類名】明細書
【補正対象項目名】００３０
【補正方法】変更
【補正の内容】
【００３０】
この構成によると、噴霧された水が化学物質に接触することによって、化学物質の揮発による飛散を抑制することができる。しかも、霧状の水であれば、少量で、広い範囲に水を行き渡らせることができるので、水の使用量が少なくて済む。水の使用量が少ないので、噴霧した水と混合する化学物質の量が少なくて済み、大部分の化学物質をそのまま利用することができる。したがって、廃液として処理しなければならない液体の量が少なくて済み、廃液の処理費用、及び環境に与える負荷の双方を少なくできる。しかも、化学物質の揮発による飛散を抑制する媒体として水を用いるので、廃液の処理が容易であり、廃液の処理費用、及び環境に与える負荷の双方をより一層少なくできる。また、第１噴霧部から噴射された霧状の水は、水の比重より高い比重の液体の液面上に水の膜を形成する。これにより、水の膜が、化学物質の揮発を抑制するシールとして機能する。したがって、液体からの化学物質の揮発量を確実に少なくすることができる。しかも、水は、実質的に、液体のうちの液面にのみ触れることとなる。したがって、液体のうち液面よりも下方にある部分は、水と混合することが抑制されており、水が噴霧される前の性質を維持することができる。したがって、廃液として処理する必要のある液体は、水の膜と接している部分周辺の僅かな箇所で済み、廃液の処理量をより少なくできる。
【手続補正８】
【補正対象書類名】明細書
【補正対象項目名】００３１
【補正方法】変更
【補正の内容】
【００３１】
また、本発明における化学物質飛散抑制方法は、揮発性の化学物質を含み、且つ水の比重よりも大きい比重を有する液体が存在する領域において、前記液体のうち噴霧対象となる液体の液面の位置よりも高い位置から、水を噴霧し、前記液面上に水の膜を形成することを特徴とする。
【手続補正９】
【補正対象書類名】明細書
【補正対象項目名】００３２
【補正方法】変更
【補正の内容】
【００３２】
この構成によると、噴霧された水が化学物質に接触することによって、化学物質の揮発による飛散を抑制することができる。しかも、霧状の水であれば、少量で、広い範囲に水を行き渡らせることができるので、水の使用量が少なくて済む。水の使用量が少ないので、噴霧した水と混合する化学物質の量が少なくて済み、大部分の化学物質をそのまま利用することができる。したがって、廃液として処理しなければならない液体の量が少なくて済み、廃液の処理費用、及び環境に与える負荷の双方を少なくできる。しかも、化学物質の揮発による飛散を抑制する媒体として水を用いるので、廃液の処理が容易であり、廃液の処理費用、及び環境に与える負荷の双方をより一層少なくできる。また、噴射された霧状の水は、水の比重より高い比重の液体の液面上に水の膜を形成する。これにより、水の膜が、化学物質の揮発を抑制するシールとして機能する。したがって、液体からの化学物質の揮発量を確実に少なくすることができる。しかも、水は、実質的に、液体のうちの液面にのみ触れることとなる。したがって、液体のうち液面よりも下方にある部分は、水と混合することが抑制されており、水が噴霧される前の性質を維持することができる。したがって、廃液として処理する必要のある液体は、水の膜と接している部分周辺の僅かな箇所で済み、廃液の処理量をより少なくできる。
【手続補正１０】
【補正対象書類名】明細書
【補正対象項目名】０１１２
【補正方法】変更
【補正の内容】
【０１１２】
表１に示すように、容器の上方５０ｃｍ付近における塩酸ガスの濃度は、水噴霧前には２０ｐｍ以上という高い値を示していたのに対し、水噴霧後には、０ｐｐｍ〜０．５ｐｐｍと、塩酸ガスの濃度が少なくとも１／４０に低減された。このように、塩酸ガス濃度を低減する効果が顕著であった。また、容器の周囲における塩酸ガス濃度は、水噴霧前には１０ｐｐｍ〜２０ｐｐｍ以上という高い値を示していたのに対し、水噴霧後には、０ｐｐｍ〜０．５ｐｐｍと、塩酸ガスの濃度が少なくとも１／４０に低減された。このように、塩酸ガス濃度を低減する効果が顕著であった。